(57)【要約】      （修正有）【課題】軽量且つ安価で、歩数計の収納によって全体の寸法が大きくならず、携行の際に違和感や不快感が生じない歩数計用の防水ケースを提供する。【解決手段】透明ないし半透明の合成樹脂製袋体からなるケース本体２１の開口部２６近傍の対向位置する内側面に一対の係合部材２２を付設し、当該係合部材２２の係脱操作によって開口部２６を開閉できるようにすると共に、ケース本体の隅角部２１１の形状を、ケース本体２１の内部に収納する歩数計の隅角部の形状に対応した曲線状に形成した。【選択図】図１
0003164399.tif 000002
【実用新案登録請求の範囲】
【請求項１】
透明ないし半透明の合成樹脂製袋体からなるケース本体の開口部近傍の対向位置する内側面に一対の係合部材を付設し、当該係合部材の係脱操作によって開口部を開閉できるようにすると共に、ケース本体の隅角部形状を、ケース本体の内部に収納する歩数計の隅角部の形状に対応した曲線状に形成したことを特徴とする歩数計用防水ケース。
【請求項２】
ケース本体の開口部先端縁にストラップ挿通用の通孔を形成した留め具またはスライダーを取付けたことを特徴とする請求項１に記載の歩数計用防水ケース。
【考案の詳細な説明】
【技術分野】
【０００１】
本考案は歩数計の収納ケースに係り、特に収納ケースを防水構造とすることによって水滴等の浸入による不具合を低減できる歩数計用防水ケースに関する。
【背景技術】
【０００２】
歩行は健康増進と疾病の予防及び回復に効果があるため多くの人に人気があり、実際の歩数や消費エネルギー等を把握するために歩数計を常時携行することが行われている。このように歩行の際に絶えず身に付けておくため、衣服のポケット等に収納しておくと、衣服を洗濯するとき取り出すのを忘れてそのまま洗濯をしてしまい、歩数計を破損してしまうことがある。また、夏場には歩行者の汗が浸入して歩数計の計測結果に影響を与えるおそれもある。
【０００３】
このため、歩数計等の電子機器を水濡れから保護するための技術が提案されている。一例を挙げると、携帯用電話機等を収納する防水ケースの技術が次に示す特許文献１に開示されている。
【０００４】
特許文献１に開示された従来技術は、電子機器を収納するケースの本体に凹部を形成し、当該凹部内に携帯用電話機等の電子機器を収納した後、半透明で弾性ならびに伸長性を備えた膜を、ケースの蓋の開口部に張設し、本体と蓋を密着させて携帯用電話機等を水濡れから防ぐようにしたものである。
【０００５】
図６を用いて特許文献１に示された従来技術の概略を説明する。
図６において、携帯用電話機等を収納できる凹部８が形成された合成樹脂製の本体部２と、この本体部２の凹部８の開口部３を覆う合成樹脂製の蓋体４とからなる携帯用電話機等の収納用防水ケース１において、蓋体４は本体部２の開口部３に対向する部分が切り抜かれていて、この切り抜き部５に透明もしくは半透明で弾性ならびに伸長性を備えるとともに、耐引裂き性、耐摩耗性、音伝達性を備えたウレタン膜６が装着されて、切り抜き部５から内部への水の浸入を防止できるように構成され、蓋体４は本体部２に対しヒンジ構造１０，１１によって開閉自在で、本体部２と蓋体４と閉止部材１２，爪部１５とで、密閉状態を保持できるように構成したものである。
【先行技術文献】
【特許文献】
【０００６】
【特許文献１】特開２０００−１２５９１６号公報
【考案の概要】
【考案が解決しようとする課題】
【０００７】
特許文献１の開示技術においては、弾性ならびに伸長性を備えた透明または半透明の膜で電子機器が覆われるので、防水性は高いが、構造が複雑であるからコストが高くなる。
【０００８】
また、ヒンジ構造１０，１１と、密封状態を保持する閉止構造１２，１５は、防水部５，６の外側に設けられているので、全体の寸法が大きく且つ重くなり、携行に不便となる。このため、身体に纏う衣服等に収納し難かったり、収納にあたり多少の我慢を強いられたりする。従って、この従来技術に係る防水ケースは歩数計のような小型携帯機器には適した構造とは言い難い。
【０００９】
本考案の目的は、上記した従来技術の問題点を解消し、軽量且つ安価で、歩数計の収納によって全体の寸法が大きくならず、携行の際に違和感や不快感が生じない歩数計用の防水ケースを提供することにある。
【課題を解決するための手段】
【００１０】
上記課題を解決するための本考案の構成を詳述すれば、請求項１に係る考案は、透明ないし半透明の合成樹脂製袋体からなるケース本体の開口部近傍の対向位置する内側面に一対の係合部材を付設し、当該係合部材の係脱操作によって開口部を開閉できるようにすると共に、ケース本体の隅角部形状を、ケース本体の内部に収納する歩数計の隅角部の形状に対応した曲線状に形成したことを特徴とする歩数計用防水ケースである。
【００１１】
また、請求項２に係る考案は、ケース本体の開口部先端縁にストラップ挿通用の通孔を形成した留め具またはスライダーを取付けたことを特徴とする請求項１に記載の歩数計用防水ケースである。
【考案の効果】
【００１２】
本考案に係る歩数計用防水ケースは上述のように構成したので、簡単な構造でコストが安く軽量であり、ケース本体は透明ないし半透明の合成樹脂製袋体から
なるので、内部に歩数計を収納したままの状態で歩数計のデジタル表示部を視認することが可能となり、さらにケース本体の隅角部形状を、ケース本体の内部に収納する歩数計の隅角部の形状に対応した曲線状に形成してあるので全体の寸法はほぼ歩数計と同じになり、身体にコーナー部が当たったときの不快感もない。
【図面の簡単な説明】
【００１３】
【図１】本考案に係る歩数計用防水ケースの第１の実施形態を示す平面図である。
【図２】図１のＸ−Ｘ線に沿った断面図である。
【図３】図１に示す歩数計用防水ケースの使用状態図である。
【図４】本考案に係る歩数計用防水ケースの第２の実施形態を示す平面図である。
【図５】図４のＹ−Ｙ線に沿った断面図である。
【図６】従来の電子機器の防水ケースの構成を示す斜視図である。
【考案を実施するための形態】
【００１４】
本考案に係る歩数計用防水ケースは、日常生活での水濡れ等から歩数計を保護するため、歩数計を収納する防水ケース本体を比較的安価な合成樹脂製フィルムないしシート状物で構成し、さらに全体が大きくならないように防水ケースのコーナー部を曲線状に形成したものである。
【実施例１】
【００１５】
以下、図１から図５を用いて本考案に係る歩数計用防水ケースの実施例を詳述する。
図１は本考案に係る歩数計用防水ケースの第１の実施形態を示す平面図であり、図中２０は完成品としての歩数計用防水ケースを示し、２１は当該歩数計用防水ケース２０をなすポリエチレン、ポリエチレンテレフタレート、ポリプロピレン等の汎用の透明ないし半透明の合成樹脂によって製せられたケース本体を示す。
【００１６】
歩数計用防水ケース２０をなすケース本体２１のケース底部２７の両隅角部２１１は曲率半径が約５ｍｍ程度の曲線状に形成されている。
【００１７】
一方、ケース本体２１の開口部２６の近傍の対向位置する内側面には一対の係合部材２２を付設し、当該係合部材２２の係脱操作によって開口部２６を開閉できるように構成されている。なお、一対の係合部材２２としては雄雌嵌合構造ないし凹凸嵌合構造のファスナー類が好適に用いられる。
【００１８】
また、この第１の実施例においては、ケース本体２１の開口部先端縁に、ストラップ挿通用の通孔２３ｈを形成した留め具２３を取付けてあり、通孔２３ｈに任意のストラップを通して首等に吊り下げて携行することができるようになっている。
【００１９】
図２は図１に示す歩数計用防水ケース２０のＸ−Ｘ線に沿った断面図であり、そのうち図２（ａ）は歩数計用防水ケース２０全体の断面図であり、図２（ｂ）はケース本体の開口部２６付近の拡大断面図である。
【００２０】
図２（ａ）に示すように、歩数計用防水ケース２０をなすケース本体２１は前記したように透明ないし半透明の汎用合成樹脂製フィルムないしシート状物を用い、ケース底部２７で折り返し、両サイドをヒートシールまたは接着等にて袋状に形成してある。
【００２１】
図２（ｂ）に示すように、係合部材２２は長手方向に沿って凸条２２ｒを形成した一方の部材と、当該凸条２２ｒが緊着し得る凹部を長手方向に沿って形成した他方の部材とからなり、手指でケース本体２１の開口部近傍を挟んで押し付けることにより凸条２２ｒが、他方の部材である凹部内に連続して嵌り込んで圧着し、ケース開口部２６が密封され、内部への水滴等の浸入を防ぐことができる。
【００２２】
また、留め具２３は、突部を突成した雄部材２３ｒと、この雄部材２３ｒの突部が嵌合し得る凹所を凹設した雌部材とからなり、歩数計用防水ケース２０の全体を支える。
【００２３】
図３は本考案に係る歩数計用防水ケース２０の第１の実施例の使用状態図であり、歩数計用防水ケース２０の留め具２３と、ファスナーなどからなる一対の係合部材２２を開き、オープンとなった開口部２６から歩数計３０をケース本体２１内に収納し、再び係合部材２２と留め具２３を閉じる。
【００２４】
なお、特に図示していないが、留め具２３に穿設してある通孔２３ｈ内にストラップを挿通し、ネック部に吊り下げて携行することができる。また、図３に示すように、歩数計用防水ケース２０をなすケース本体２１は透明ないし半透明の合成樹脂製袋体から構成されているので、歩数計３０を歩数計用防水ケース２０内に収納した状態でデジタル表示部を確認することができる。
【実施例２】
【００２５】
図４は歩数計用防水ケースの第２の実施形態を示す平面図であり、図４において、歩数計用防水ケース２００のケース底部２７の両隅角部２１１と、ケース開口部２６の開口部両隅角部２１２は、ともに曲率半径が約５ｍｍ程度の曲線状に形成されている。
【００２６】
この実施形態の場合、ケース本体の開口部２６近傍の対向位置する内側面に一対の係合部材２２を付設してあり、当該一対の係合部材２２の係脱操作を左右方向に移動可能なスライダー２４によって行うようにしたものであり、例えば、スライダー２４を一方向にスライドさせると、一対の凹凸嵌合構造等の係合部材２２が係合状態となってケース本体の水密状態が維持でき、反対の方向にスライダー２４を移動させると、係合部材２２の係合状態が解除されて開口部２６から内部の歩数計を取り出すことができる。なお、このスライダー２４にも、ストラップ挿通用の通孔２４ｈを形成してある。
【００２７】
図５は図４に示す歩数計用防水ケース２００のＹ−Ｙ線に沿った断面図であり、そのうち図５（ａ）は歩数計用防水ケース２００全体の断面図であり、図５（ｂ）はケース開口部２６付近の拡大断面図である。
【００２８】
図５（ｂ）に示すように、スライダー２４は、一対の係合部材を係脱させるためのガイド部２４ｇを備えており、一方向に、スライダー２４を摺動させると、ガイド部２４ｇによって一対の係合部材２２が係合状態となり、逆の方向にスライダー２４を摺動させると、係合部材２２が解除される。なお、歩数計用防水ケース２００のその他の要素は図２に示す歩数計用防水ケース２０と同様であるので重複する説明は省略する。
【００２９】
以上のように、本考案に係る歩数計用防水ケースは、簡単な構造でコストが安く、且つ軽量であり、透明ないし半透明の合成樹脂製フィルムないしシート状物を用いているのでケース本体に収納したまま歩数計の表示部を確認することができ、さらに歩数計用防水ケースの隅角部を曲線状に形成したので全体の寸法はほぼ歩数計と同じになり、身体にコーナー部が当たったときの不快感もない。
【符号の説明】
【００３０】
２０：  歩数計用防水ケース
２１：  ケース本体
２１１：底部隅角部
２１２：開口部隅角部
２２：  係合部材
２２ｒ：凸条
２３：  留め具
２３ｒ：雄部材
２３ｈ：通孔
２４：  スライダー
２４ｈ：通孔
２４ｇ：ガイド部
２６：  ケース開口部
２７：  ケース底部
３０：  歩数計
【図１】
0003164399.tif 000003
【図２】
0003164399.tif 000004
【図３】
0003164399.tif 000005
【図４】
0003164399.tif 000006
【図５】
0003164399.tif 000007
【図６】
0003164399.tif 000008